【手続補正書】
【提出日】平成18年6月27日(2006.6.27)
【手続補正１】
【補正対象書類名】明細書
【補正対象項目名】特許請求の範囲
【補正方法】変更
【補正の内容】
【特許請求の範囲】
【請求項１】  身頃と両袖を脇下まで各々筒状に編成した後、両袖を身頃に接合し、さらに前身頃と後身頃との上端部を接合して、衣類とする編成方法において、
ステップa:  両袖を脇下まで編成した後に、両袖の袖山を前側の袖山が後側の袖山よりも幅が狭くなるように、引き返し編みで編成し、
ステップb:  次いで、両前袖と前身頃とを接続する前部の襠を脇下に形成し、
ここで、両後袖と後身頃との間には後部の襠を形成しないか、または後部の襠を形成しても前部の襠よりも小さな襠とすることにより、後部の襠を形成しない場合には前部の襠の幅に応じて、後部の襠を形成する場合には前後の襠の幅の差に応じて、両袖を前身頃側へ寄せ、
ステップc:  次いで、前記脇下よりも上部で、前身頃の編幅を後身頃の編幅よりも、前部の襠の幅もしくは前後の襠の幅の差に応じて狭くしながら、前身頃と後身頃とを編成すると共に前記両袖と接合する、ことを上記a)−c)の順に実行することを特徴とする、くり違いのある衣類の編成方法。
【請求項２】  ステップd:  前記ステップcに続き、ネックホールの部分で、前記前身頃を左前身頃と右前身頃とに分割して編成し、かつ左前身頃が左袖側へ拡がり、右前身頃が右袖側へ拡がるようにすることにより、左前身頃の左上端が後身頃の左上端と左右方向にほぼ揃った位置に来るようにし、右前身頃の右上端が後身頃の右上端と左右方向にほぼ揃った位置に来るようにする、ことを特徴とする、請求項１のくり違いのある衣類の編成方法。
【請求項３】  前記ステップcを、前身頃と後身頃の一端が針床上で向かい合い、前身頃と後身頃の他端が針床上で向かい合わないようにして、実行することを特徴とする、請求項１のくり違いのある衣類の編成方法。
【請求項４】  前記ステップcで、前記前身頃の一端の編目に隣接する袖の編目を重ねると共に、前記後身頃の他端の編目に隣接する袖の編目を重ねるステップと、
前記前身頃の他端の編目に隣接する袖の編目を重ねるステップと、
前記後身頃の一端の編目に隣接する袖の編目を重ねるステップと、
前記前身頃と後身頃上に新たな編目のコースを編成するステップとを行う、
ことを特徴とする請求項３のくり違いのある衣類の編成方法。
【請求項５】  筒状編地からなる身頃と筒状編地からなる両袖とが、脇で無縫製で編成操作により接合され、肩部で前身頃と後身頃とが接合された衣類において、
a：前記両袖は脇下よりも上部に前後の袖山を備え、ここで前部の袖山は後部の袖山よりも幅を狭くし、かつ前後の袖山は引き返しにより襠の形成前に編成され、
b: 前記両袖の前部が脇下で前部の襠により前身頃に接合され、
ここで、両後袖と後身頃との間には後部の襠を形成しないか、または後部の襠を形成しても前部の襠よりも小さな襠とし、かつ後部の襠を形成しない場合には前部の襠の幅に応じて、後部の襠を形成する場合には前後の襠の幅の差に応じて、脇よりも上部での前身頃の編幅が後身頃の編幅よりも狭くされ、
c: 脇で前身頃及び後身頃と両袖とが無縫製で接合されている、
ことを特徴とするくり違いのある衣類。
【請求項６】  身頃と両袖を脇下まで各々筒状に編成した後、両袖を身頃に接合し、前身頃を後身頃と接合して衣類とするための編成データを発生させる、デザイン装置において、
a:  両袖を脇下まで編成した後に、両袖の袖山を前側の袖山が後側の袖山よりも幅が狭くなるように、引き返し編みで編成するための袖山の編成データと、
b:  脇下で両前袖と前身頃とを接続する前部の襠を形成し、ここで両後袖と後身頃との間には後部の襠を形成しないか、または後部の襠を形成しても、前部の襠よりも小さな襠とするようにした、襠の編成データと、
c:  脇下よりも上部で前身頃の編幅を後身頃の編幅よりも、後部の襠を形成しない場合には前部の襠の幅に応じて、後部の襠を形成する場合には前後の襠の幅の差に応じて狭くしながら、前身頃と後身頃とを編成すると共に前記両袖と接合するための、身頃と袖の接合編成データとを、
上記のa〜cの順で各編成データが横編機により実行されるように生成することを特徴とするニットデザイン装置。
【手続補正２】
【補正対象書類名】明細書
【補正対象項目名】０００７
【補正方法】変更
【補正の内容】
【０００７】
【発明の構成】
この発明のくり違いのある衣類の編成方法は、身頃と両袖を脇下まで各々筒状に編成した後、両袖を身頃に接合し、さらに前身頃と後身頃との上端部を接合して、衣類とする編成方法において、
ステップa:  両袖を脇下まで編成した後に、両袖の袖山を前側の袖山が後側の袖山よりも幅が狭くなるように、引き返し編みで編成し、
ステップb:  次いで、両前袖と前身頃とを接続する前部の襠を脇下に形成し、
ここで、両後袖と後身頃との間には後部の襠を形成しないか、または後部の襠を形成しても前部の襠よりも小さな襠とすることにより、後部の襠を形成しない場合には前部の襠の幅に応じて、後部の襠を形成する場合には前後の襠の幅の差に応じて、両袖を前身頃側へ寄せ、
ステップc:  次いで、前記脇下よりも上部で、前身頃の編幅を後身頃の編幅よりも、前部の襠の幅もしくは前後の襠の幅の差に応じて狭くしながら、前身頃と後身頃とを編成すると共に前記両袖と接合する、ことを上記a)−c)の順に実行することを特徴とする。
【手続補正３】
【補正対象書類名】明細書
【補正対象項目名】０００９
【補正方法】変更
【補正の内容】
【０００９】
好ましくは、前記ステップcに続き、ネックホールの部分で、前記前身頃を左前身頃と右前身頃とに分割して編成し、かつ左前身頃が左袖側へ拡がり、右前身頃が右袖側へ拡がるようにすることにより、左前身頃の左上端が後身頃の左上端と左右方向にほぼ揃った位置に来るようにし、右前身頃の右上端が後身頃の右上端と左右方向にほぼ揃った位置に来るようにする。
【手続補正４】
【補正対象書類名】明細書
【補正対象項目名】００１１
【補正方法】変更
【補正の内容】
【００１１】
またこの発明のくり違いのある衣類は、筒状編地からなる身頃と筒状編地からなる両袖とが、脇で無縫製で編成操作により接合され、肩部で前身頃と後身頃とが接合された衣類において、
a：前記両袖は脇下よりも上部に前後の袖山を備え、ここで前部の袖山は後部の袖山よりも幅を狭くし、かつ前後の袖山は引き返しにより襠の形成前に編成され、
b: 前記両袖の前部が脇下で前部の襠により前身頃に接合され、
ここで、両後袖と後身頃との間には後部の襠を形成しないか、または後部の襠を形成しても前部の襠よりも小さな襠とし、かつ後部の襠を形成しない場合には前部の襠の幅に応じて、後部の襠を形成する場合には前後の襠の幅の差に応じて、脇よりも上部での前身頃の編幅が後身頃の編幅よりも狭くされ、
c: 脇で前身頃及び後身頃と両袖とが無縫製で接合されている、
ことを特徴とする。
【手続補正５】
【補正対象書類名】明細書
【補正対象項目名】００１２
【補正方法】変更
【補正の内容】
【００１２】
この発明のニットデザイン装置は、身頃と両袖を脇下まで各々筒状に編成した後、両袖を身頃に接合し、前身頃を後身頃と接合して衣類とするための編成データを発生させる、デザイン装置において、
a:  両袖を脇下まで編成した後に、両袖の袖山を前側の袖山が後側の袖山よりも幅が狭くなるように、引き返し編みで編成するための袖山の編成データと、
b:  脇下で両前袖と前身頃とを接続する前部の襠を形成し、ここで両後袖と後身頃との間には後部の襠を形成しないか、または後部の襠を形成しても、前部の襠よりも小さな襠とするようにした、襠の編成データと、
c:  脇下よりも上部で前身頃の編幅を後身頃の編幅よりも、後部の襠を形成しない場合には前部の襠の幅に応じて、後部の襠を形成する場合には前後の襠の幅の差に応じて狭くしながら、前身頃と後身頃とを編成すると共に前記両袖と接合するための、身頃と袖の接合編成データとを、
上記のa〜cの順で各編成データが横編機により実行されるように生成することを特徴とする。